(57)【要約】      （修正有） 【課題】優れた耐衝撃性および完全防水性を実現した、小型の家庭用の防災用ロッカーを提供する。【解決手段】備蓄品を収納する収納部３と前記収納部に形成された開口部３ａを覆う蓋部とを有する備蓄シェル２と、前記収納部の外面に配置される断熱緩衝材７と、前記断熱緩衝材が配置された前記収納部および前記蓋部をそれぞれ収納可能に形成された補強フレーム８と、前記補強フレームの外面を覆うカバー９とを備え、前記備蓄シェルに、浸水防止手段を設ける。【選択図】図１
0003180970.tif 000002
【実用新案登録請求の範囲】
【請求項１】
備蓄品を収納する収納部と前記収納部に形成された開口部を覆う蓋部とを有する備蓄シェルと、
前記収納部の外面に配置される断熱緩衝材と、
前記断熱緩衝材が配置された前記収納部および前記蓋部をそれぞれ収納可能に形成された補強フレームと、
前記補強フレームの外面を覆うカバーとを備え、
前記備蓄シェルには、浸水防止手段が設けられている
ことを特徴とする防災用ロッカー。
【請求項２】
前記浸水防止手段は、
前記収納部の前記開口部の全周に亘って端部が外向きに形成されたコ字型端部と、前記コ字型端部の底面もしくは前記蓋部の内面に設けられたパッキンと、前記収納部と前記蓋部とを固定する固定手段とを有し、
前記収納部の開口部を前記蓋部で覆うとともに前記固定手段によって固定した際に、前記パッキンを前記蓋部の内面および前記コ字型端部の底面に対して密着させて、前記備蓄シェルの内部を水密に密閉するようにされている
ことを特徴とする請求項１に記載の防災用ロッカー。
【請求項３】
前記断熱緩衝材が、導電性を有していることを特徴とする請求項１または請求項２に記載の防災ロッカー。
【考案の詳細な説明】
【技術分野】
【０００１】
本考案は、地震や洪水、津波などの災害発生時における、食料、水、衣料品などの生活必需品を備蓄しておく家庭用の防災用ロッカーに関する。
【背景技術】
【０００２】
従来から災害発生時における生活必需品を備蓄するために、地方自治体や企業などにおいては防災倉庫が設置されていた。このような、防災倉庫には、災害発生から約３日間分の食料や水、毛布や衣類などの衣料品が備蓄されている。
【０００３】
特許文献１には、地震やそれに伴う火事などに備えて耐火性を有する防災倉庫について記載さている。
【０００４】
また、東北地方で発生した東日本大震災の発生を受け、沿岸部や川沿いの地域では、津波の影響により、生活必需品が水浸しになって、食品や水だけでなく衣料品なども不足するという問題が発生した。
【先行技術文献】
【特許文献】
【０００５】
【特許文献１】特開平０９−２８７２１８号公報
【考案の概要】
【考案が解決しようとする課題】
【０００６】
従来の防災倉庫は、屋外に設置されることから簡単な防水措置は施されているものの、津波や洪水のように完全に倉庫が水没する場合には、備蓄品の品質を保持することができない。
【０００７】
また、従来の防災倉庫は、地域や公共機関など大量の備蓄品を収納可能な大型で換気装置や簡易ベッドなどが備え付けられた倉庫が殆どであり、個々の家庭に防災備蓄用の倉庫やロッカーを設置することは想定されていなかった。
【０００８】
そこで、本考案はこれらの点に鑑みてなされたものであり、優れた耐衝撃性および完全防水性を実現した、小型の家庭用の防災用ロッカーを提供することを目的とする。
【課題を解決するための手段】
【０００９】
上記課題を解決するべく本考案の第１の態様の防災用ロッカーは、備蓄品を収納する収納部と前記収納部に形成された開口部を覆う蓋部とを有する備蓄シェルと、前記収納部の外面に配置される断熱緩衝材と、前記断熱緩衝材が配置された前記収納部および前記蓋部をそれぞれ収納可能に形成された補強フレームと、前記補強フレームの外面を覆うカバーとを備え、前記備蓄シェルには、浸水防止手段が設けられていることを特徴とする。
【００１０】
本考案の第２の態様の防災用ロッカーは、前記浸水防止手段が、前記収納部の前記開口部の端部が全周に亘って外向きに形成されたコ字型端部と、前記コ字型端部の底面もしくは前記蓋部の内面に設けられたパッキンと、前記収納部と前記蓋部とを固定する固定手段とを有し、前記収納部の開口部を前記蓋部で覆うとともに前記固定手段によって固定した際に、前記パッキンを前記蓋部の内面および前記コ字型端部の底面に対して密着させて、前記備蓄シェルの内部を水密に密閉するようにされていることを特徴とする。
【００１１】
本考案の第３の態様の防災ロッカーは、前記断熱緩衝材が、導電性を有していることを特徴とする。
【００１２】
このような、本考案の防災用ロッカーとすることにより、優れた耐衝撃性および完全防水性を実現することができるので、地震などの災害発生時において、落下物等の大きな衝撃が加わっても、防災用ロッカーの備蓄シェル内部に備蓄した食料や水、衣料品等の備蓄品が損傷することがなく、さらに、地震に伴う津波や洪水などで防災用ロッカーが完全に水没した場合においても、備蓄品が水浸しになって品質が損なわれることを防止することができる。
【００１３】
また、断熱緩衝材を設けることによって、屋外に設置した場合においても備蓄シェルに対する外気や直射日光の熱の伝達を断熱し、内部の温度の上昇を抑制するので、特別に換気口などを設けることなく、備蓄シェル内の備蓄品の品質を保持することができる。災害時においては、家屋の倒壊等による外部からの衝撃を緩衝するので備蓄シェルが損傷して備蓄品の品質が損なわれることを防止することができる。
【００１４】
さらに、断熱緩衝材が導電性を有することによって、当該断熱緩衝材が電波吸収性能を発揮して、備蓄シェル内に保管されるラジオや手回し発電機などの電子機器を電磁波から保護するとともに、その導電性によって静電気障害からも保護することができる。
【００１５】
また、本考案の防災用ロッカーは、換気口やその他の設備を省いた単純な構造とすることにより小型化を実現し、災害時において、特に必要とされるものだけを備蓄することができる家庭用の防災用ロッカーを提供することを可能とする。
【考案の効果】
【００１６】
本考案の防災用ロッカーによれば、優れた耐衝撃性および完全防水性を実現することができるとともに、利便性の良い小型の家庭用の防災用ロッカーを提供することができる。
【図面の簡単な説明】
【００１７】
【図１】本考案の防災用ロッカーの実施形態の横断面図
【図２】本考案の防災用ロッカーの実施形態における備蓄シェルの開放状態を示す斜視図
【図３】本考案の防災用ロッカーの実施形態における備蓄シェルの開口部の断面拡大図
【図４】図１におけるＡ−Ａ部分の縦断面図
【図５】図１におけるＢ−Ｂ部分の縦断面図
【考案を実施するための形態】
【００１８】
本考案の防災用ロッカーは、備蓄品を収納する収納部と収納部に形成された開口部を覆う蓋部とを有する備蓄シェルと、収納部の外面に配置される断熱緩衝材と、断熱緩衝材が配置された収納部および蓋部をそれぞれ収納可能に形成された補強フレームと、補強フレームの外面を覆うカバーとを備え、備蓄シェルには、浸水防止手段が設けられていることを特徴とする。
【００１９】
また、浸水防止手段は、収納部の開口部の全周に亘って端部が外向きに形成されたコ字型端部と、コ字型端部の底面もしくは蓋部の内面に設けられたパッキンと、収納部と蓋部とを固定する固定手段とを有し、収納部の開口部を蓋部で覆うとともに固定手段によって固定した際に、パッキンを蓋部の内面およびコ字型端部の底面に対して密着させて、備蓄シェルの内部を水密に密閉するようにされていることを特徴とする。
【００２０】
本考案の防災用ロッカーの実施形態を図１乃至図５を用いて以下に説明する。
【００２１】
本考案の防災用ロッカー１は、図１に示すように、内側から、水、食料および衣料品等の備蓄品を収納する備蓄シェル２と、備蓄シェル２の周囲に配置された断熱緩衝材７と、断熱緩衝材７が配置された備蓄シェル２を収納可能な補強フレーム８と、補強フレーム８の外周面を覆うカバー９とを備えている。
【００２２】
備蓄シェル２は、図２に示すように、備蓄品を収納するための収納部３と、収納部３に形成された開口部３ａを完全に覆うように形成された蓋部４とを備える。収納部３の内部には、備蓄品を効率よく収納するための単数もしくは複数（本実施形態においては２枚）の棚部材３ｂが収納部３の側壁に対して溶接などによって固定されており、収納部３と一体に形成されている。棚部材３ｂの下面には、補強部材３ｃが設けられ、補強部材３ｃを棚部材３ｂの裏面および収納部３の側壁に溶接して固定することによって補強し、棚部材３ｂの反り等の変形を防止している。
【００２３】
収納部３の外面には、断熱緩衝材７を保持するとともに、収納部３と補強フレーム８とを連結するための複数の断熱緩衝材保持部材３ｄが設けられている。
【００２４】
また、備蓄シェル２には、収納部３の開口部３ａ付近の外面に複数個設けられたパッチン錠６ａと（本実施形態においては４個）、蓋部４を開口部３ａを覆うように配置した際に、パッチン錠６ａに対応する蓋部４の所定位置設けられた係合部材６ｂとからなる固定手段６が備えられ、パッチン錠６ａの一部を係合部材６ｂに係合させて固定することにより、収納部３に対して蓋部４を固定可能としている。
【００２５】
ここで、備蓄シェル２には、内部に収納された備蓄品を浸水から保護するための浸水防止手段が設けられている。この浸水防止手段は、図２および図３に示すように、収納部３の開口部３ａの全周に亘って端部３ｆを外向きのコ字型として形成したコ字型端部３ｅと、当該コ字型端部３ｅの底面３ｇに接着材もしくは溶着によって固定配置されたパッキン５と、パッチン錠６ａおよび係合部材６ｂからなる固定手段６とを有している。
【００２６】
このような、浸水防止手段によれば、収納部３の開口部３ａを蓋部４によって覆うようにして配置し、コ字型端部３ｅの底面３ｇに固定配置されたパッキン５に対して蓋部４の内面を圧接させた状態で固定手段６によって蓋部４と収納部３とを固定することにより、蓋部４の内面側にパッキン５をその弾性力によって密着させて収納部３の開口部３ａを密閉し、水の浸入を防止するので、備蓄シェル２の内部の完全防水を実現することができる。
【００２７】
なお、本実施形態においては、パッキン５をコ字型端部３ｅの底面３ｇに固定配置する構成としているが、蓋部４の内面であって底面３ｇが対向する位置にパッキン５を固定配置する構成としてもよい。パッキン５を蓋部４の内面であって底面３ｇが対向する位置に固定配置する場合には、コ字型端部３ｅの底面３ｇにパッキン５をその弾性力によって密着させて水の浸入を防止し、備蓄シェル２の内部を完全防水とするようにされる。
【００２８】
収納部３の外周面に設けられた各断熱緩衝材保持部材３ｄには、収納部３の外周面を覆うように断熱緩衝材７が保持されている。断熱緩衝材７は、フェノールフォーム、ウレタンフォーム、ポリスチレンフォーム、セルロースファイバー、ロックウール、グラスウール等の断熱性に優れた素材から適宜選択して用いるとよい。例えば、断熱緩衝材７としてウレタンフォームを用いることにより、防災用ロッカー１を屋外に設置した場合においても、外気温の変化に対して優れた断熱性を有するとともに、その弾性力によって高い耐衝撃性を実現することができる。
【００２９】
さらに、断熱緩衝材７は、前記断熱性に優れた素材に導電性のカーボンを練り込むことによって導電性を持たせた素材とすることが好ましい。導電性を持たせた素材とすることにより、静電気障害から備蓄シェル２内の備蓄品を保護することができる。さらに、導電性を有する断熱緩衝材７は電波吸収性能を発揮し、備蓄シェル２内に保管されるラジオや手回し発電機などの電子機器を電磁波から保護することができる。例えば、三和加工業株式会社製のニューペルカ（登録商標）などを用いることができる。
【００３０】
また、備蓄シェル２は、災害時における家屋の倒壊や津波による衝撃から備蓄品を保護するべく、厚さ４．５ｍｍ程度の鉄板またはステンレス板からなる補強フレーム８に収納されている。
【００３１】
補強フレーム８は、図４および図５に示すように、備蓄シェル２を収納する備蓄シェル収納部８ａと、備蓄シェル収納部８ａ内に収納された備蓄シェル２の収納部３の開口部３ａ側を保護するとともに、当該開口部３ａから備蓄品を取り出すべく開閉可能に形成されたドア部８ｂとからなる。
【００３２】
備蓄シェル収納部８ａには、収納部３に設けられた断熱緩衝材保持部材３ｄに対応する位置に連結孔８ｃが形成されており、内部に備蓄シェル２を収納し、各連結孔８ｃに挿通させたボルトなどによって断熱緩衝材保持部材３ｄと連結することによって、備蓄シェル収納部８ａと備蓄シェル２とを固定するようにされている。
【００３３】
備蓄シェル収納部８ａの下面にはゲタ１０が固定されており、防災用ロッカー１の設置場所の地面に設けたアンカーに対してゲタ１０を連結することによって、防災用ロッカー１を地面に固定するようにされている。
【００３４】
備蓄シェル収納部８ａの外側には、雨などによる腐食防止および装飾を目的とする収納部用カバー９ａが設けられている。収納部用カバー９ａは、図４および図５に示すように、収納部３の開口部３ａ側の一面および下面を開口とした箱状に形成されており、収納部用カバー９ａの下面側の開口を備蓄シェル収納部８ａの上部に嵌めた状態で、収納部用カバー９ａを下方にスライドさせることによって、備蓄シェル収納部８ａの外面に対して隙間なく嵌合させて配置するように形成されている。
【００３５】
収納部用カバー９ａと補強フレーム８のドア部８ｂとは、図１に示すように、蝶番１１によって片側側端部（図１における左側端部）が固定されており、当該左側端部を支点として、ドア部８ｂを回転移動させて、備蓄シェル収納部８ａに対する開閉を可能としている。
【００３６】
ドア部８ｂの外側にについても備蓄シェル収納部８ａの外側と同様に、雨などによる腐食防止および装飾を目的とするドア部用カバー９ｂが嵌合によって配置されている。ドア部用カバー９ｂにおける当該左側端部に対向する側端部（図１における右側端部）には、パッチン錠１２ａが設けられ、収納部用カバー９ａには、当該パッチン錠１２ａに対応する位置に係止部材１２ｂが設けられており、パッチン錠１２ａを係止部材１２ｂに対して係合固定することによって、備蓄シェル収納部８ａに対するドア部８ｂの閉状態を保持するようにされている。
【００３７】
ドア部８ｂの内側面には、図１および図５に示すドア部用断熱緩衝材１４を設けることが好ましく、外気温の変化に対してさらに優れた断熱性を発揮することができるとともに、その弾性力によって高い耐衝撃性を実現することができる。また、ドア部用断熱緩衝材１４の表面側には、ドア部用断熱緩衝材１４の劣化を防止および美観の点から、ドア部用断熱か商材１４を覆い隠すようにしてドア部用断熱緩衝材用カバー１５を配設することがさらに好ましい。
【００３８】
ここで、収納部用カバー９ａにおける収納部３の開口部３ａ側の開口端９ｃには、図１および図５に示すように、Ｌ字型端部９ｄが形成されており、Ｌ字型端部９ｄの端部にはパッキン１３が設けられている。このパッキン１３は、ドア部８ｂの閉状態において、Ｌ字型端部９ｄとドア部８ｂの内面との間に形成される間隙を水密に埋めるようにドア部８ｂの内面に対して当接可能に形成されている。
【００３９】
このような、収納部用カバー９ａおよびドア部用カバー９ｂからなるカバー９においては、閉状態において、パッキン１３が収納部用カバー９ａのＬ字型端部９ｄとドア部８ｂの内面との間に形成される間隙を埋めることで、防災用ロッカー１を屋外に設置した場合においても、カバー９の内部に雨水が侵入することがなく、補強フレーム８の腐食の発生や内部の汚染を防止することができる。さらに、上面のＬ字型端部９ｄの凹部に降った雨水は、側面のＬ字型端部９ｄの凹部をつたって排水されるので、上面の凹部に雨水が溜まるこがなく、苔の発生などを防止して美しい外観を保持することができる。
【００４０】
ゲタ１０の前面側および両側面側は、図５に示すように、幅木９ｅによって使用者から見えないように覆うようにされている。
【００４１】
なお、収納部３は、４人家族が３〜７日間生活するために必要な、水、食料および衣料品や、医療品、懐中電灯およびラジオ等を収納可能な備蓄容量を有していることが好ましい。
【００４２】
本考案の防災用ロッカー１によれば、地震に伴う津波もしくは洪水などの水害時において、防災用ロッカー１が水中に完全に水没した場合においても備蓄シェル２が完全防水とされていることにより、備蓄シェル２の内部まで浸水することがなく、津波や洪水の水が引いた後に、食料や水などの生活必需品を確実に確保することができる。
【００４３】
また、津波や洪水で流された瓦礫などによって衝撃が加えられた場合においても、補強フレーム８によって備蓄シェル２が保護されているので、備蓄品の損傷を防ぐことができる。
【００４４】
さらに、単純な構造とすることによって小型化を実現し、家庭用として用いることができる防災用のロッカーを提供することができる。
【００４５】
その他に、例えば、蓋部４の内面側には、図１に示すように、ポケット４ｂを設け、災害マップや懐中電灯などの小物を収納するようにすることで、備蓄シェル２内の限られたスペースを効率よく活用することができるとともに、効果的に整理整頓できるので、災害時においても、素早く目的の物を発見することができる。
【００４６】
本考案の防災用ロッカー１は、上記の実施形態に限定されるものではなく、例えば、防災用ロッカー１の上面にソーラーパネルを設置し、防水仕様の換気装置を設けて、屋外に設置した状態においても内部の温度を一定に保持可能としたり、センサーを備えたソーラー式ＬＥＤライトを設置して、通常時には防犯灯として用い、非常時には夜間のライトとして用いる等の応用が考えられる。
【００４７】
また、本実施形態においては、防災用ロッカー１の形状を直方体の箱形としているが、円柱型もしくは球状のような水の流れに対して抵抗の小さい形状とし、備蓄品をより確実に洪水や津波から保護可能とするなどの変更が可能である。
【００４８】
さらに、本実施形態においては、断熱緩衝材７に導電性のカーボンを練り込み導電性を持たせる構成としているが、通常の断熱緩衝材と導電性を有する断熱緩衝材との二重構造とするなど考案の特徴を損なわない範囲において種々の変更が可能である。
【符号の説明】
【００４９】
１  防災用ロッカー
２  備蓄シェル
３  収納部
３ａ  開口部
３ｅ  コ字型端部
３ｆ  端部
４  蓋部
５  パッキン
６  固定手段
７  断熱緩衝材
８  補強フレーム
９  カバー
【図１】
0003180970.tif 000003
【図２】
0003180970.tif 000004
【図３】
0003180970.tif 000005
【図４】
0003180970.tif 000006
【図５】
0003180970.tif 000007